(57)【要約】【課題】  クリーンルームの床レベルにおける、仕様変更に伴って想定される様々な大きさの開口の設置を容易に行えるような根太構造を提供する。【解決手段】  クリーンルーム１の柱間に架設された大梁３の側面に、梁長手方向に沿って取り付けられた根太受け部材１４と、対向する梁間に所定間隔をあけて配列して架設され、根太受け部材１４上に着脱可能に固定されてフロア面を支持する根太構造を構成する根太部材１１を設ける。フロア面に形成される新たな開口の寸法に合わせて根太部材１１を移動して根太受け部材１４に支持させ、所定開口を有する根太構造に変更する。【選択図】  図２
2008248564.tif 000002
【特許請求の範囲】
【請求項１】
クリーンルームの柱間に架設された大梁の側面に、梁長手方向に沿って取り付けられた根太受け手段と、対向する前記梁間に所定間隔をあけて配列して架設され、前記根太受け手段上に着脱可能に固定されてフロア面を支持する根太構造を構成する根太部材を備え、前記フロア面に形成される新たな開口の寸法に合わせて前記根太部材を移動して前記根太受け手段に支持させ、所定開口を有する根太構造に変更させることを特徴とするクリーンルーム用根太構造。
【請求項２】
前記根太部材上にフロア材を支持する所定高さの脚部材を配列し、該脚部材上に前記フロア材を敷設して前記フロア面をフリーアクセスフロアとしたことを特徴とする請求項１に記載のクリーンルーム用根太構造。
【請求項３】
前記根太受け手段は、前記根太部材の上面が前記梁上面とレベルが一致するように、前記梁の側面に取り付けられたことを特徴とする請求項１に記載のクリーンルーム用根太構造。
【請求項４】
前記根太部材の端部は前記根太受け手段に把持手段を介して着脱可能に固定された請求項１乃至請求項３のいずれか１項に記載のクリーンルーム用根太構造。
【発明の詳細な説明】
【技術分野】
【０００１】
本発明はクリーンルーム用根太構造に係り、特にクリーンルームの床レベルにおける、仕様変更に伴って想定される様々な大きさの開口の設置を容易に行えるクリーンルーム用根太構造に関する。
【背景技術】
【０００２】
クリーンルームでは、床構造を設計する場合、たとえば根太材を梁間に、所定の間隔（通常、６００mm程度）をあけて架設し、その上に支柱ボルト等の支持部材を立設して配管、配線のための所定高さの空間を確保するとともに、エアの床吸い込みを実現するための多孔板やグレーチングからなるクリーンルーム用フロア材を敷設したフリーアクセスフロア構造とするのが一般的である。
【０００３】
ところで、クリーンルームでは、このフリーアクセスフロア上に種々の精密な製造機器類が設置される。そして、その製造ラインの変更に応じて適宜、床構造、特に根太材の配置を変更できるようにすることがクリーンルームの作業スペースを効率的に活用するために重要である。その点を考慮した発明として、特許文献１に開示された発明がある。
【０００４】
特許文献１では、機器類を設置することを念頭に、高剛性の根太と、高剛性の機械基礎床版とを固定ボルトで一体化させ、その上にフリーアクセスフロアパネルを敷設する構成の可動組立式の高剛性床基礎が開示されている。
【０００５】
【特許文献１】特開２００３−６４８１９号公報
【発明の開示】
【発明が解決しようとする課題】
【０００６】
特許文献１に開示された床構造は、高剛性根太上の機械基礎用床版を固定ボルトで一体化して、床剛性を高める方策が開示されている。このとき、高剛性根太は、大梁間に一体的に連結架設された小梁上に所定間隔をあけて配列されているため、小梁を避けた開口寸法までしかレイアウトの変更ができないという問題がある。このため、製造工程の変化に対応させたストッカーを設けたり、昇降階段等を設置するのが困難である。そこで、本発明の目的は上述した従来の技術が有する問題点を解消し、大梁の梁側面に根太の支持部を形成し、開口部の大きさを最大限、変更可能にできるようにしたクリーンルーム用根太構造を提供することにある。
【課題を解決するための手段】
【０００７】
上記目的を達成するために、本発明はクリーンルームの柱間に架設された大梁の側面に、梁長手方向に沿って取り付けられた根太受け手段と、対向する前記梁間に所定間隔をあけて配列して架設され、前記根太受け手段上に着脱可能に固定されてフロア面を支持する根太構造を構成する根太部材を備え、前記フロア面に形成される新たな開口の寸法に合わせて前記根太部材を移動して前記根太受け手段に支持させ、所定開口を有する根太構造に変更させることを特徴とする。
【０００８】
前記根太部材上にフロア材を支持する所定高さの脚部材を配列し、該脚部材上に前記フロア材を敷設して前記フロア面をフリーアクセスフロアとすることが好ましい。
【０００９】
前記根太受け手段は、前記根太部材の上面が前記梁上面とレベルが一致するように、前記梁の側面に取り付けることが好ましい。
【００１０】
前記根太部材の端部を、前記根太受け手段に把持手段を介して着脱可能に固定することが好ましい。
【発明の効果】
【００１１】
本発明によれば、大梁の側面支持部で根太部材を支持し、この側面支持部の何れの位置でも各根太材を支持することができるようにしたので、クリーンルーム内の装置レイアウトの変更、ストッカーや製造機器のレイアウトの変更等によって必要となる、様々な面積の床開口部に適合した根太構造を、容易に構築できるという効果を奏する。
【発明を実施するための最良の形態】
【００１２】
以下、本発明のクリーンルーム用根太構造の実施するための最良の形態として、以下の実施例について添付図面を参照して説明する。
【実施例】
【００１３】
図１は、クリーンルーム１の４本の柱間２に敷設された床構造を模式的に示した床伏図である。本実施例では、柱２の柱芯間は９．６mに設定され、大梁３が架設され、さらに桁行方向のスパン中央位置に中間梁４が架設されている。図中、下半部は説明のために根太材１１を配列した状態を示している。上半部には開口５が形成され、その他の床部分に根太材１１が配列され、フリーアクセスフロアのためのフロア材１５が敷設された状態（一部、根太材を表示のため図示省略）が示されている。図２は、根太材１１が標準ピッチで配列された根太構造１０上にフリーアクセスフロアが構築された構成を示した部分斜視図である。同図に示したように、根太構造１０は、根太材１１と、根太材１１上に配列された脚部材としての支柱ボルト２０と、支柱ボルト２０のフロア受け部材２３に支持されて敷設されたフロア材１５とからなる。
【００１４】
図１に示した根太構造１０の詳細について図２を参照して説明する。図２に示したように、大梁３の側面の所定高さに根太受け材１４としての溝形鋼が固着されている。この根太受け材１４の取付位置は根太材１１（本実施例では、たとえばＨ１５０×１５０）の高さ分に相当する寸法だけ梁上面から下げた位置に後施工アンカーを用いたボルト締め２６により固定されている（図６参照）。また、本実施例では、図１下半部に示したように、張間方向に沿って６００mm間隔をあけて根太材１１が配列されている。各根太材１１は、将来的に可動根太として機能しない場所では、根太受け材１４にボルト固定してよい。また可動根太として、その設置位置を変更する可能性がある場合には、ボルト締め式のクランプ等の緊結金具２５（図６参照）を用いて根太材１１と根太受け材１４とを固定することが好ましい。
【００１５】
また、図２に示したように、フリーアクセスフロアを構成するために、脚部材としての支柱ボルト２０が６００mm×６００mmのピッチで根太材１１の上面に立設されている。この支柱ボルト２０は、一実施例として用いられたフリーアクセスフロア用の脚部材で、ネジ調整により長さ調整可能な支柱２１と、その上下にベースプレート２２とフロア受け部材２３とが一体的に取り付けられた組立既製品である。脚部材としては、フリーアクセスフロアの設計仕様に応じた高さを調整可能な支柱タイプの他、直置き用のベースプレートタイプ、耐震脚部材等を適宜採用することができる。
【００１６】
図２に示したように、各支柱ボルト２０は隣接したフロア材１５の四隅を１点で載置可能なフロア受け部材２３を有し、１辺が６００mmのフロア材１５は、各支柱ボルト２０を支点として根太材１１表面から所定高さの空間２４を確保して敷き詰められる。
【００１７】
図３は、図１に示した開口５の根太構造１０を模式的に示した部分斜視図である。同図に示したように、開口５の大きさに応じて、根太材１１を撤去するか、開口５の端部部材として利用するために所定量だけ根太受け材１４での支持位置をずらして利用する。このとき開口５の張間方向の寸法は、６００mmの倍数とすることで、フロア材１５は標準寸法材を使用することができる。端数が生じる場合には、所定寸法に切断したフロア材（図示せず）を開口周縁部に当てはめて使用することが好ましい。
【００１８】
図４は、根太材１１を１スパン分取り除いて形成された開口５Ａと、根太材１１のスパンの一部に小開口５Ｂを設けた実施例を示した床構造を模式的に示した床伏図である。同図に示したように、小開口５Ｂが根太材１１のスパン長より小さい場合には、端部に位置する根太材１１間を繋ぐ小梁１７を配置し、この小梁１７に短い根太材１８を連結させることで、開口５の周辺のフロア材１５の敷設が行えるようにする。図５は、このような小開口５の周囲に配列された根太材１１と、根太材１１上に配列された支柱ボルトと、支柱ボルト２０のフロア受け部材２３（図５参照）上に敷設されたフロア材１５（支柱ボルトとの関係を示すために一部のみ表示）とを示した斜視図である。本実施例では、小開口５の端部の根太材１１に対して同サイズの小梁１７をボルト連結したが、根太材１１側の所定位置に吊り下げ式のブラケット（図示せず）等の支持手段を設け、このブラケットで小梁１７を支持するようにしてもよい。
【００１９】
以上に述べたように、図２に示した標準ピッチで配列された根太材１１を、たとえば図３，図５に示したように、設計上必要な開口５だけ取り除いたり、移動させたりするだけで、フロア上に所定の開口５を確保することができる。フロア上で比較的レイアウト変更の頻度が高い場合には、その都度、根太材１１を撤去、搬入するのでは、作業が煩雑になるので、このような場合には支柱ボルト２０の立設位置を避けた位置に根太材１１を仮架設させておき、再度のレイアウト変更時の対応を容易にすることができる。
【００２０】
図６は、梁コンクリートに取り付けられた根太受け材１４のフランジ１４ａ上に根太材１１の端部を固定した状態を示した部分拡大図である。同図に示したように、根太材１１を可動部材とするためには、固定手段は簡易な構造の治具等であることが好ましい。そのため、本実施例では、ボルト締めクランプ金物２５を使用している。なお、図示しないが、根太受け材１４の上フランジ１４ａに所定間隔（たとえば２００mm）に支持孔をあけておき、根太材１１のフランジに設けた取付孔とを一致させてボルト締め固定することはクリールーム内での作業量の軽減につながる。このとき、根太受け材１４に多数の孔が設けられるので、強度面の保証が得られる部材サイズを設定することが重要である。
【図面の簡単な説明】
【００２１】
【図１】本発明のクリーンルーム用根太構造の一実施例を示した床伏図。
【図２】標準ピッチで配列された根太構造上に構成されたフリーアクセスフロアの一例を示した斜視図。
【図３】図１に示した開口部に配列された根太構造上に構成されたフリーアクセスフロアの一実施例を示した斜視図。
【図４】本発明のクリーンルーム用根太構造の小開口の実施例を示した床伏図。
【図５】図４に示した開口部に配列された根太構造上に構成されたフリーアクセスフロアの一例を示した斜視図。
【図６】根太受け材と根太材との取り合いの一例を示した拡大図。
【符号の説明】
【００２２】
１  クリーンルーム
２  柱
３  大梁
４  中間梁
５，５Ａ，５Ｂ  開口
１０  根太構造
１１，１８  根太材
１４  根太受け部材
１５  フロア材
２０  支柱ボルト
【図１】
2008248564.tif 000003
【図２】
2008248564.tif 000004
【図３】
2008248564.tif 000005
【図４】
2008248564.tif 000006
【図５】
2008248564.tif 000007
【図６】
2008248564.tif 000008